(57)【要約】【課題】  表示面における位置を示す情報を表示面内に含む表示装置を安価に提供する。【解決手段】  表示装置２０の表示ディスプレイ２４は、表示情報を表示する波長帯域とは異なる帯域の光を選択的に反射する反射部２５６と、この光を反射しない非反射部２５４とが配置された関係から、表示ディスプレイ２４での平面方向の位置に関する情報を算出可能な位置情報層２５０を備え、前記位置情報層２５０は、光透過性を有する保護層２６０と、表示手段２１０の光変調層との間に積層される。【選択図】      図２
2006277492.tif 000002
【特許請求の範囲】
【請求項１】
少なくとも一方が光透過性を有する表示面を形成する一対の基板と、前記一対の基板間に挟持された光変調層とを有し、第１の波長帯域の光で情報を表示面に表示する表示装置であって、
前記波長帯域と異なる第２の波長帯域の光を選択的に反射する反射部と、前記第２の波長帯域の光を反射しない非反射部とから成る情報図形から、前記表示面の平面方向の位置に関する情報が算出可能な位置情報層を備え、
前記位置情報層は、前記表示面を形成する一方の基板と前記光変調層との間に、前記表示面上の外部からの前記第２の波長帯域の光が照射可能に積層されることを特徴とする表示装置。
【請求項２】
請求項１に記載の表示装置において、
前記反射部と前記非反射部とは、前記第１の波長帯域の光が透過することを特徴とする表示装置。
【請求項３】
請求項１乃至２に記載の表示装置において、
前記第１の波長帯域の光は、可視光であると共に、
前記第２の波長帯域の光は、赤外光であることを特徴とする表示装置。
【請求項４】
請求項１乃至３のいずれか１項に記載の表示装置において、
前記光変調層は、マトリックス状に配置された画素毎に変調する液晶層と、
前記一方の基板と前記液晶層との間にあって、前記画素毎に所定の色光が対応する着色層とを含み、
前記位置情報層は、前記一方の基板と前記着色層との間に積層されることを特徴とする表示装置。
【請求項５】
請求項１乃至３のいずれか１項に記載の表示装置において、
前記光変調層は、電気泳動粒子を有する表示画素毎に変調する電気泳動層を含み、
前記位置情報層は、前記電気泳動層と前記光透過性を有する一方の基板との間に積層されることを特徴とする表示装置。
【請求項６】
請求項１乃至５のいずれか１項に記載の表示装置において、
前記情報図形は、配置された位置に基いて、所定の符号系列から割り当てられていることを特徴とする表示装置。
【発明の詳細な説明】
【技術分野】
【０００１】
本発明は、表示装置に関する。
【背景技術】
【０００２】
携帯電子端末や電子手帳のような表示装置の表示部を指示具で指示し、指示した位置に応じて情報を処理する対話的な情報処理装置が知られている。このような装置において、指示具が指示した表示部の位置は、下記の特許文献１や特許文献２に示すように、表示部の表示面に抵抗膜を設け、抵抗値の変動から指示した位置を検出する抵抗膜方式や、指示具から磁界を発生させて、表示面に設置した複数のアンテナの中から、磁界を受信したアンテナの位置を検出する電磁誘導方式により検出していた。
【０００３】
【特許文献１】特開平７−３０２１６８号公報
【特許文献２】特開平１０−２８８７６６号公報
【発明の開示】
【発明が解決しようとする課題】
【０００４】
しかしながら、従来の方法では、電界や磁界を発する抵抗膜やアンテナを、表示部に配置する必要があるため、表示部周辺への他の電子部品の配置が制限されることに加え、表示部の全域に渡り抵抗膜やアンテナを敷設するため、表示装置の作成コストが高価になった。更に、抵抗膜やアンテナに対して、電流や電磁波を適切に制御して供給する必要があるため、表示装置を稼動するためのコストも高価になった。
【課題を解決するための手段】
【０００５】
上記した課題を解決するために、本発明の情報処理装置は、少なくとも一方が光透過性を有する表示面を形成する一対の基板と、前記一対の基板間に挟持された光変調層とを有して、第１の波長帯域の光で情報を前記表示面から表示する表示装置と、前記表示面上の外部から前記表示面を指示する指示装置とを備え、前記指示した前記表示面の位置に応じて情報を処理する情報処理装置であって、表示装置は、前記波長帯域と異なる第２の波長帯域の光を選択的に反射する反射部と、前記第２の波長帯域の光を反射しない非反射部とから成る情報図形から、前記表示面の平面方向の位置に関する情報が算出可能な位置情報層を、前記表示面を形成する一方の基板と前記光変調層との間に、前記外部からの前記第２の波長帯域の光が照射可能に積層して備え、指示装置は、指示した前記表示面から前記位置情報層の前記情報図形を前記第２の波長帯域の光で検出して、前記情報図形から前記指示した位置に関する情報を算出する指示位置算出部と、前記位置に関する情報と前記表示装置を操作する指示に関する情報を対応付ける対応テーブルと、前記対応テーブルを参照して、前記位置に関する情報から前記指示に関する情報を取得する指示情報取得部と、前記指示に関する情報に基き、前記表示装置で表示する表示情報を生成する情報生成部とを備えることを特徴とする。
この発明によれば、表示装置の表示面での平面的な位置情報は、反射部と非反射部とから成る情報図形として位置情報層に含まれることに加えて、この位置情報層は、表示装置の所定の位置に、表示面の外部からの第２の波長帯域の光が照射可能に積層されるため、指示装置は、指示した表示面の情報図形を第２の波長帯域の光で検出することで、指示した位置を算出できる。従って、位置情報層は、光学的手段により受動的に参照されるため、電界や磁界に弱い電子部品を表示部周辺に制限なく配置できることに加えて、位置を検出するための抵抗膜やアンテナ等の電気的な配線の敷設や、制御された電磁波や電流の供給が不要であるため、表示装置の作成コストおよび稼動コストを抑えることができる。
【０００６】
上記した課題を解決するために、本発明の表示装置は、少なくとも一方が光透過性を有する表示面を形成する一対の基板と、前記一対の基板間に挟持された光変調層とを有し、第１の波長帯域の光で情報を表示面に表示する表示装置であって、前記波長帯域と異なる第２の波長帯域の光を選択的に反射する反射部と、前記第２の波長帯域の光を反射しない非反射部とから成る情報図形から、前記表示面の平面方向の位置に関する情報が算出可能な位置情報層を備え、前記位置情報層は、前記表示面を形成する一方の基板と前記光変調層との間に、前記表示面上の外部からの前記第２の波長帯域の光が照射可能に積層されることを特徴とする。
この発明によれば、表示装置の表示面での平面的な位置情報は、反射部と非反射部とから成る情報図形として位置情報層に含まれることに加えて、この位置情報層は、表示装置の所定の位置に、表示面の外部からの第２の波長帯域の光が照射可能に積層される。従って、位置情報層は、光学的手段により受動的に参照されるため、電界や磁界に弱い電子部品を表示部周辺に制限なく配置できることに加えて、位置を検出するための抵抗膜やアンテナ等の電気的な配線の敷設や、制御された電磁波や電流の供給が不要であるため、表示装置の作成コストおよび稼動コストを抑えることができる。更に、この表示装置は、第１の波長帯域の光により情報を表示面に表示すると共に、表示面上の外部から第１の波長帯域とは異なる第２の波長帯域の光を照射することで、表示面での平面的な位置情報を算出できるため、表示面で表示する情報に対して、影響を与えること無く、表示面上での位置を検出できる。
【０００７】
本発明では、前記反射部と前記非反射部とは、前記第１の波長帯域の光が透過することが好ましい。
この発明によれば、反射部と非反射部は、第２の波長帯域の光でのみ識別可能で、第１の波長帯域の光では反射部および非反射部を識別できないため、表示装置で表示する可視光の画像に対して影響を与えない。
【０００８】
本発明では、前記第１の波長帯域の光は、可視光であると共に、前記第２の波長帯域の光は、赤外光であることが好ましい。
この発明によれば、可視光と干渉しないことに加えて、外部から散乱光の影響を受けない赤外光で表示面での平面的な位置情報を検出するため、精度良く位置を検出できる。
【０００９】
本発明では、前記光変調層は、マトリックス状に配置された画素毎に変調する液晶層と、前記一方の基板と前記液晶層との間にあって、前記画素毎に所定の色光が対応する着色層とを含み、前記位置情報層は、前記一方の基板と前記着色層との間に積層されても良い。また、前記光変調層は、電気泳動粒子を有する表示画素毎に変調する電気泳動層を含み、前記位置情報層は、前記電気泳動層と前記光透過性を有する一方の基板との間に積層されても良い。
この発明によれば、表示装置には、液晶表示装置や電気泳動式の表示装置を適用できる。
【００１０】
本発明では、前記情報図形は、配置された位置に基いて、所定の符号系列から割り当てられていることが好ましい。
この発明によれば、情報図形を構成する符号列を所定の方法で復号することで、配置された位置を判別できる。
【００１１】
上記した課題を解決するために、本発明の指示装置は、所定の波長帯域の光を選択的に反射する反射部と、前記光を反射しない非反射部とから成る情報図形から、指示した位置に関する情報が算出可能な表示面に対して、前記表示面上の外部から指示する指示装置であって、前記指示した表示面から前記情報図形を前記波長帯域の光で検出して、前記検出した情報図形から前記指示した位置に関する情報を算出する指示位置算出部と、前記位置に関する情報と前記表示面に対する指示に関する情報を対応付ける対応テーブルと、前記対応テーブルを参照して、前記位置に関する情報から前記指示に関する情報を取得する指示情報取得部と、前記指示に関する情報に基き、前記表示面で表示する表示情報を生成する情報生成部とを備えることを特徴とする。
この発明によれば、表示面での平面的な位置情報が反射部と非反射部の配置された関係で示される表示媒体であれば、指示装置は、指示した表示媒体の位置を認識すると共に、指示した位置に対応した情報を生成できる。
【００１２】
本発明では、前記指示位置算出部は、前記表示面に前記所定の波長帯域の光を照射する照射部と、前記反射部で反射した前記光を撮像する撮像部と、前記撮像した画像を処理して前記情報図形を抽出する画像処理部と、前記情報図形から前記位置に関する情報を取得する位置情報取得部と、前記位置に関する情報から前記表示面上での位置を算出する座標変換部とを備えることが好ましい。
この発明によれば、光を照射する照射部と、反射した光を撮像する撮像部とを指示装置で共に具備するため、表示面を備える表示媒体の側を簡略な構成にできる。
【発明を実施するための最良の形態】
【００１３】
以下、本発明の実施形態を図面に基いて説明する。
（実施形態１）
【００１４】
図１は、本実施形態１に係る情報処理装置１の外観を示す斜視図である。この情報処理装置１は、情報を画像で表示する表示装置２０と、表示装置２０が表示する画像を使用者が指示する指示装置１０とを具備する。
表示装置２０は、表面上に、表示ディスプレイ２４と、無線受信手段２６とを備える。また、指示装置１０は、外観視ペン形状であり、円筒部１２と先端部１４とで形成される。この情報処理装置１は、使用者が指示装置１０の円筒部１２を把持して、表示ディスプレイ２４が表示する所定の領域を先端部１４で指示することで、所定の領域に対応付けられた情報が処理される機能を有している。この機能についての詳細は、後述する。
【００１５】
（表示ディスプレイの構成）
図２は、表示ディスプレイ２４Ａの構成を示す概略構成図である。この表示ディスプレイ２４Ａは、保護層２６０Ａと、位置情報層２５０Ａと、表示手段２１０Ａとが積層されて形成される。
この中で、位置情報層２５０Ａは、所定の情報図形が描画された位置情報コード２５２Ａが略全面に渡り形成された層である。この情報図形は、所定の波長帯域の光を選択的に反射する反射部２５６Ａと、前記光を反射しない非反射部２５４Ａとで描画されている。本実施形態１では、所定の波長帯域の光として、波長が７００ｎｍ以上の赤外光を採用する。従って、反射部２５６Ａには、光学部品であるコールドフィルターで使用される多層膜を採用できる。この多層膜は、例えば、低屈折率材料（ＳｉＯ2）と高屈折率材料（ＴｉＯ2）とを蒸着法により交互に成膜することで形成できる誘電体多層膜が知られている。また、非反射部２５４Ａは、例えば、フタロシアニン化合物のように、吸収特性の最大値が６５０ｎｍから１４００ｎｍの間の波長である赤外線吸収色素を、位置情報層２５０Ａの保護層２６０Ａ側にパターンニングすることで形成できる。
次に、情報図形の描画パターンについて説明する。本実施形態１では、描画パターンは、反射部２５６Ａをベースに非反射部２５４Ａが、互いに直交する直線群として描画されている。それぞれの直線は、「０」と「１」の２値に対応して例えば太さが異なる２種類の線種から成り、例えば、Ｍ系列やＤｅＢｒｕｉｊｎ系列のような符号系列に従い、それぞれ所定本数の線種の組合わせから、表示ディスプレイ２４Ａの面内におけるＸ方向またはＹ方向の位置を一意に判定できるように描画されている。また、Ｘ方向と、Ｙ方向との判別や、「１１１０」と「０１１１」のような反転符号の判別は、Ｘ方向と、Ｙ方向の出現符号が重ならないように割り当てると共に、反転した符号が出現しない符号列を選択することもできる。
【００１６】
次に、表示手段２１０Ａについて説明する。本実施形態１では、表示ディスプレイ２４Ａで使用する表示手段２１０Ａは、アクティブマトリックス方式のＴＦＴカラー液晶方式を採用している。即ち、表示手段２１０Ａは、この表示手段２１０Ａの背面となるバックライト２２６から、表示ディスプレイ２４Ａの表示方向（Ｚ方向）に向かい、第１偏光板２２４、第１ガラス基板２２２、ＴＦＴ層２２０、封止された液晶層２１９、共通電極２１８、カラーフィルタ２１６、第２ガラス基板２１４および第２偏光板２１２が積層されて形成される。この中で、第１ガラス基板２２２と第２ガラス基板２１４との間の層、即ち、ＴＦＴ層２２０、封止された液晶層２１９、共通電極２１８およびカラーフィルタ２１６は、光を電気信号により変調する光変調層である。
また、保護層２６０Ａは、この表示手段２１０Ａの表面を構成し、赤外光領域および可視光領域において光透過性を有する透明部材で構成されると共に、表示ディスプレイ２４Ａの最前面に形成されて位置情報層２５０Ａを保護する。
【００１７】
上記した構成により、表示ディスプレイ２４Ａの保護層２６０Ａの外側から保護層２６０Ａに向かって赤外光を照射した場合、位置情報層２５０Ａの反射部２５６Ａに照射された赤外光は、照射元の方向に戻るが、位置情報層２５０Ａの非反射部２５４Ａに照射された赤外光は、吸収されて照射元の方向に戻らない。従って、表示ディスプレイ２４Ａの保護層２６０Ａの外側から、赤外光を照射すると、位置情報層２５０Ａの位置情報コード２５２Ａの情報図形と同一の反射像が得られる。他方で、光変調層に表示した画像は、可視光の波長帯域であるため、位置情報層２５０Ａの反射部２５６Ａおよび非反射部２５４Ａで反射や吸収されない。従って、光変調層で表示する画像は、位置情報層２５０Ａの影響を受けることなく、表示ディスプレイ２４Ａの保護層２６０Ａの外側に向けて表示される。
尚、本実施形態１では、位置情報層２５０Ａは、保護層２６０Ａと表示手段２１０Ａとの間に配置したが、この位置に限定されるものでは無く、前記した光変調層より表面側、即ち、カラーフィルタ２１６より表面側に配置すれば良い。
【００１８】
（情報処理装置の機能構成）
次に、情報処理装置１の機能構成を図３に示す。表示装置２０は、表示制御部２９０と、受信部２７０と、表示ディスプレイ２４とを備える。また、指示装置１０は、指示位置算出部１００と、記憶部１３０と、プログラム処理部１２０と、送信部１４０とを備える。この中で、指示位置算出部１００は、照射部１０１と、撮像部１０２と、画像処理部１０４と、位置情報取得部１０６と、座標変換部１０８とを備える。また、記憶部１３０は、対応テーブル１３５とを備え、プログラム処理部１２０は、指示情報取得部１２３と、情報生成部１２５とを備える。
最初に指示装置１０について説明する。照射部１０１は、指示装置１０の先端部１４に配置されたＬＥＤ６２（図４）から赤外光を照射する。指示装置１０が使用者に把持されて、先端部１４が表示ディスプレイ２４の表示面を指示した場合、照射部１０１が照射する赤外光は、位置情報層２５０Ａの位置情報コード２５２Ａを照射するように構成されている。
撮像部１０２は、指示装置１０の先端部１４に配置されたＣＣＤ６４（図４）で、先端部１４が指示した表示ディスプレイ２４の表示面における所定の領域を撮像して、電気信号に変換する。尚、図示は略すが、撮像部１０２に光が入射する入射口付近には、ＣＣＤ６４の撮像面に表示面の像を形成するための撮像光学系が備えられ、赤外光の波長帯域の光のみを透過するフィルタ部材が配されている。従って、撮像部１０２は、前記した反射部２５６Ａと非反射部２５４Ａとで構成される位置情報コード２５２Ａの情報図形のみを撮像する。変換した電気信号は、画像処理部１０４に送られる。
画像処理部１０４は、撮像部１０２から送られる電気信号が示す画像を、デジタル処理することで、位置情報コード２５２Ａの非反射部２５４Ａが示す描画パターンを抽出して、位置情報取得部１０６に送る。
【００１９】
位置情報取得部１０６は、互いに直交する２方向について描画パターン中の線種の並びから、それぞれ符号列を再生し、この符号列を復号して位置に関する情報を取得する。本実施形態の場合は、再生符号列が所定の符号系列において出現する系列位置を求め、この系列位置をもとに、それぞれの符号列のＸＹ判別や、あらかじめ所定の符号開始位置によるオフセット補正をおこなって、位置情報コード２５２Ａにおける指示位置を特定する。
次いで座標変換部１０８は、位置情報取得部１０６で求めた位置情報から、指示装置１０の先端部１４が指示する表示ディスプレイ２４上の位置を示す座標値を算出し、または位置の範囲を示すＩＤ等に変換して、指示情報取得部１２３に送る。
指示情報取得部１２３は、座標変換部１０８から送られた座標や領域の情報により、対応テーブル１３５を参照する。対応テーブル１３５には、各ＧＵＩ（グラフィカル・ユーザ・インタフェース）が有するボタン等の指示手段の座標値データや、指示手段に対応付けられた表示装置２０の操作に関する情報が記憶されており、これによって指示情報取得部１２３は、ユーザが指示したＧＵＩを判別することとなる。
プログラム処理部１２０は、指示情報取得部１２３で判別したＧＵＩによるユーザ指示に応じて、プログラムにより指定された動作に移行する。この際、情報生成部１２５は、動作の移行に際して新規に提示すべき表示装置２０での表示情報を生成する。例えば、ユーザがサブメニューの呼出ＧＵＩを指示したのであれば、情報生成部１２５は提示すべきサブメニューの画面を構成し、表示装置２０が解釈可能な所定形式の表示情報として生成する。このようにして生成された表示情報は、送信部１４０により、無線送信手段６６（図４）を介して表示装置２０に送信される。
続いて、表示装置２０について説明する。受信部２７０は、無線受信手段２６（図４）を介して指示装置１０から受信した表示情報を、表示制御部２９０に送る。
表示制御部２９０は、受信部２７０から送られた表示情報に基づいて、ディスプレイコントローラ７０（図４）により、表示ディスプレイ２４の表示手段２１０を駆動して、動作の移行に際しての新規画面を表示する。
以上のようにして、表示装置２０の表示ディスプレイ２４に表示される画面を、指示装置１０で指示することで、指示に応じた情報処理を行うことができる。
【００２０】
図４は、情報処理装置１のハードウェアの構成を示す図である。最初に、指示装置１０のハードウェア構成について説明する。この指示装置１０は、ＣＰＵ（Central  Processing  Unit）５０Ａ、ＲＡＭ（Random  Access  Memory）５４Ａ、ＲＯＭ（Read  Only  Memory）５２Ａ、フラッシュメモリ５６Ａ、入出力Ｉ／Ｆ（Interface）５８Ａおよび通信Ｉ／Ｆ６０Ａを備えて構成される。加えて、これらの各部は、バス６８Ａにより、互いの信号が授受可能に接続されている。
ＣＰＵ５０Ａは、ＲＯＭ５２Ａに格納された基本制御プログラムや、ＲＯＭ５２Ａおよびフラッシュメモリ５６Ａに格納されたアプリケーションプログラムなどの各種プログラム及びデータを読み込み、それら各種プログラム及びデータをＲＡＭ５４Ａ内に設けられるメインメモリ領域に展開して実行し、指示装置１０が備える各部の制御を実行する。
入出力Ｉ／Ｆ５８Ａは、ＬＥＤ（Light  Emitting  Diode）６２の照射やＣＣＤ（Charge  Coupled  Devices）６４での撮像を制御する信号を出力することに加えて、ＣＣＤ６４が撮像したデータを入力する。ここで、ＬＥＤ６２は、波長が８００ｎｍから９００ｎｍで出力のピークを有するアルミニウムガリウム砒素系材料を用いたＬＥＤを採用できる。
通信Ｉ／Ｆ６０Ａは、無線送信手段６６によるデータの送信を制御する。ここで、無線送信手段６６は、ＩｒＤＡ、Ｂｌｕｅｔｏｏｔｈ（登録商標）、ＺｉｇＢｅｅ、ＩＥＥＥ８０２．１１．ａ／ｂ／ｇ／ｈおよびＵＷＢ（Ultra  Wide  Band）等を採用できる。
【００２１】
次に、表示装置２０について説明する。この表示装置２０は、ＣＰＵ５０Ｂ、ＲＡＭ５４Ｂ、ＲＯＭ５２Ｂ、フラッシュメモリ５６Ｂ、ディスプレイコントローラ７０および通信Ｉ／Ｆ６０Ｂを備えて構成される。これらの各部は、バス６８Ｂにより、互いの信号が授受可能に接続されている。
この中で、ＣＰＵ５０Ｂ、ＲＡＭ５４Ｂ、ＲＯＭ５２Ｂおよびフラッシュメモリ５６Ｂは、指示装置１０の各デバイスと同様であるため、説明を略す。
尚、上記した各機能は、それぞれのＣＰＵ５０やＲＡＭ５４等からなるハードウェア資源と、ＲＯＭ５２やフラッシュメモリ５６等に記憶された種々のソフトウェアとが有機的に協働することにより実現される。
【００２２】
以上述べた実施形態１によれば、以下のような効果を奏する。
（１）位置情報層２５０の位置情報コード２５２は、印刷手法で作成できるため、一度で大量かつ安価に作成できる。
（実施形態２）
【００２３】
次に、本発明の実施形態２について、図５を参照して説明する。尚、以下の説明では、既に説明した部分と同一な部分については、同一符号を付してその説明を省略する。この図５は、本実施形態２の表示ディスプレイ２４Ｂの構成を示す概略構成図である。前記した実施形態１では、表示手段２１０Ａは、アクティブマトリックス方式のＴＦＴカラー液晶方式を採用したが、本実施形態２では、表示手段２１０Ｂは、電子ペーパ等で多用される電気泳動方式のディスプレイを採用する。また、実施形態１では、位置情報層２５０Ａの位置情報コード２５２Ａにおいて、情報図形を構成する非反射部２５４Ａは、太さなどが異なる２種類の線として表示したが、本実施形態２では、非反射部２５４Ｂは、ドットのパターンで表示する形式とする。
最初に、本実施形態２の表示手段２１０Ｂについて説明する。この表示手段２１０Ｂは、表示手段２１０Ｂ背面側に位置する第１透明基板２４０から表示ディスプレイ２４Ｂで表示するＺ方向に向かい、ＴＦＴ層２３８、電気泳動層２３６、共通電極２３４および第２透明基板２３２が積層されて形成される。この中で、第１透明基板２４０と第２透明基板２３２との間の層、即ち、ＴＦＴ層２３８、電気泳動層２３６および共通電極２３４は、光を電気信号により変調する光変調層である。
【００２４】
次に、本実施形態２の位置情報コード２５２Ｂについて説明する。この位置情報層２５０Ｂに形成された非反射部２５４Ｂのドットのパターンは、ドットコードによる位置コード（位置を符号化したパターン）となっている。このような手法は、例えば、ＵＳ−６，５０２，７５６Ｂ１で述べられているように、各ドットが印字された位置と、標準位置との偏差を複数のドット群に亘り検出することで、そのドット群の位置を一意に規定できる。
尚、本実施形態２では、位置情報層２５０Ｂは、保護層２６０Ｂと表示手段２１０Ｂとの間に配置したが、この位置に限定されるものでは無く、前記した光変調層より表面側、即ち、共通電極２３４より表面側であれば良い。
以上述べた実施形態２によれば、実施形態１と同様の効果を奏する。
【００２５】
以上、本発明を図示した実施形態に基づいて説明したが、本発明は、これらに限定されるものではなく、以下に述べるような変形例も想定できる。
（１）位置情報層２５０は、反射部２５６を全体に形成した後に、非反射部２５４を選択的に塗布したが、非反射部２５４を全体に形成した後に、反射部２５６を選択的に塗布しても良い。
（２）指示装置１０は、表示装置２０に対してのみ適用されるものではなく、表示装置２０の位置情報コード２５２と同じ規則で描画された紙のような印刷媒体に対しても適用できる。即ち、印刷媒体の位置情報コード２５２を読み取った指示装置１０は、位置情報に従い所定の処理を行う。更に、指示装置１０は、印刷媒体と表示装置２０を用途に応じて使い分けることで、指示装置１０と、表示装置２０と、種々の印刷媒体とが、協調して対話的な操作ができる情報処理装置１も想定できる。
【図面の簡単な説明】
【００２６】
【図１】本発明の実施形態１に係る情報処理装置の外観を示す斜視図。
【図２】前記実施形態１における表示ディスプレイの構成を示す概略構成図。
【図３】前記実施形態１における情報処理装置の機能構成を示す機能構成図。
【図４】前記実施形態１における情報処理装置のハードウェアの構成を示す図。
【図５】本発明の実施形態２に係る表示ディスプレイの構成を示す概略構成図。
【符号の説明】
【００２７】
１…情報処理装置、１０…指示装置、１２…円筒部、１４…先端部、２０…表示装置、２４…表示ディスプレイ、２６…無線受信手段、５０…ＣＰＵ、５２…ＲＯＭ、５４…ＲＡＭ、５６…フラッシュメモリ、５８…入出力Ｉ／Ｆ、６０…通信Ｉ／Ｆ、６２…ＬＥＤ、６４…ＣＣＤ、６６…無線送信手段、６８…バス、７０…ディスプレイコントローラ、１００…指示位置算出部、１０１…照射部、１０２…撮像部、１０４…画像処理部、１０６…位置情報取得部、１０８…座標変換部、１２０…プログラム処理部、１２３…指示情報取得部、１２５…情報生成部、１３０…記憶部、１３５…対応テーブル、１４０…送信部、２１０…表示手段、２１２…第２偏光板、２１４…第２ガラス基板、２１６…カラーフィルタ、２１８…共通電極、２１９…液晶層、２２０…ＴＦＴ層、２２２…第１ガラス基板、２２４…第１偏光板、２２６…バックライト、２３２…第２透明基板、２３４…共通電極、２３６…電気泳動層、２３８…ＴＦＴ層、２４０…第１透明基板、２５０…位置情報層、２５２…位置情報コード、２５４…非反射部、２５６…反射部、２６０…保護層、２７０…受信部、２９０…表示制御部。
【図１】
2006277492.tif 000003
【図３】
2006277492.tif 000004
【図４】
2006277492.tif 000005
【図２】
2006277492.tif 000006
【図５】
2006277492.tif 000007